(57)【要約】  大型家庭用電気器具のような物体を支持するためのベースレール（１０）が提供される。ベースレール（１０）は板紙及び弾性フォームブロック（３６、３８）から作られた複合レールである。弾性フォームブロック（３６、３８）は器具又は他の大型物体のためのクッションを与える強靭なプラットフォームを提供するように板紙内で捕縛される。【選択図】図１
2008536763.tif 000002
【特許請求の範囲】
【請求項１】
物体を支持するためのベースレース（１０）において、
実質上平坦なベースシート（１４）と；
折り畳んだ部材（１６）であって、上記ベースシート（１４）に取り付けられた縁パネル１８と、同縁パネル（１８）間で上記折り畳んだ部材（１６）の長さに沿って長手方向で位置する少なくとも２つのビード（２０）と、同２つのビード（２０）間に位置する中央のパネル（２２）とを有し、上記ビード（２０）の各々が頂部の荷重支持パネル（２４）と、２つの下方に延びる側パネル（２６）とを有するような、折り畳んだ部材と；
を有し、
上記ベースシート（１４）及び上記折り畳んだ部材（１６）がこれらの間に一対の長手方向の空洞（３２）を画定し；
上記ビード（２０）間に介在し、上記中央のパネル（２２）及び上記２つの対向する下方に延びる側パネル（２６）により、３つの側部で捕縛された少なくとも１つの第１の弾性フォーム部材（３６）と；
上記少なくとも１つの第１の弾性フォーム部材（３６）に隣接して上記長手方向の空洞（３２）内で捕縛された少なくとも一対の第２の弾性フォーム部材（３８）と；
を更に有する、  
ことを特徴とするベースレール。
【請求項２】
上記ベースシート（１４）及び上記折り畳んだ部材（１６）が板紙で作られることを特徴とする請求項１に記載のベースレール（１０）。
【請求項３】
上記折り畳んだ部材（１６）が実質上Ｍ字状の横断面プロフィールを有することを特徴とする請求項２に記載のベースレール（１０）。
【請求項４】
上記中央のパネル（２２）が上記ベースシート（１４）に取り付けられることを特徴とする請求項１に記載のベースレール（１０）。
【請求項５】
上記ベースレース（１０）のいずれかの端部に位置する第１の弾性フォーム部材（３６）を有することを特徴とする請求項１に記載のベースレール（１０）。  
【請求項６】
上記第１の弾性フォーム部材（３６）に隣接して上記ベースレール（１０）のいずれかの端部に位置する一対の第２の弾性フォーム部材（３８）を有することを特徴とする請求項５に記載のベースレール（１０）。
【請求項７】
上記物体が器具であることを特徴とする請求項１に記載のベースレール（１０）。
【請求項８】
上記器具が冷蔵庫（４０）であることを特徴とする請求項７に記載のベースレール（１０）。
【請求項９】
平行になった請求項１に記載の一対のベースレール（１０）を有することを特徴とする器具用のベース。
【請求項１０】
Ｕ字状のベースを形成するように上記一対のベースレール（１０）を接続するクロス部材を更に有することを特徴とする請求項９に記載のベース。
【請求項１１】
上記クロス部材が山形板紙であることを特徴とする請求項１０に記載のベース。
【請求項１２】
正方形のベースを形成するようにその端部で上記ベースレール（１０）を接続する一対のクロス部材を更に有することを特徴とする請求項９に記載のベース。
【発明の詳細な説明】
【技術分野】
【０００１】
本発明は器具用のベース即ちパレットに関する。特に、本発明は大型の器具に対してクッション及び保護を与えることのできる低価格の器具用ベースレールに関する。
【背景技術】
【０００２】
時にはキャリヤ、スキッド、ランナー、パレット又は単にベースとして参照されるベースパッドは、組立て、貯蔵及び搬送中に大型の器具のような物体に対してクッション及び保護を与えるために使用される。木材、プラスチック又はダンボールで作ったベース及び材料の組み合わせで作った複合ベースを含む多数の器具用ベースは当業界で既知である。本発明の所有者であるソノコ・デベロップメント社(Sonoco Development Inc.)は米国特許第６，１５５，５２７号及び同第６，２６４，１５７号を含む多くのこの分野の特許を所有している。
【特許文献１】米国特許第６，１５５，５２７号明細書
【特許文献２】米国特許第６，２６４，１５７号明細書
【発明の開示】
【発明が解決しようとする課題】
【０００３】
器具の製造者は大型の家庭用電気器具にクッション及び保護を提供するための良好で一層安価なベースを探し続けている。
従って、本発明の目的は、減少したコストで大型の器具のクッション及び保護を提供する器具用ベースを提供することである。
【０００４】
本発明の別の目的は、軽量で、規格の落下試験に更に合格し、破断に対して抵抗を有する器具用ベースレールを提供することである。
更なる及び付加的な目的は以下の説明、添付図面及び特許請求の範囲から明らかとなろう。
【課題を解決するための手段】
【０００５】
本発明は大型の家庭用電気器具のような物体を支持するための複合（複数材料）ベースレールである。ベースレールは矩形で平坦な板紙部材即ちベースシートと、ベースシートに接着され、Ｍ字状の横断面プロフィールを備えた折り畳んだ板紙部材と、板紙部材内に収容されるか又は板紙部材により実質上取り囲まれた複数の弾性フォーム部材とを有する。板紙部材内に収容されたフォーム部材の組み合わせは器具に対して強力な支持と共にクッションを提供する。
【０００６】
折り畳んだ板紙部材は縁パネルと、縁パネル間で折り畳んだ部材の長さに沿って実質上位置する少なくとも２つのビード即ちクラウンと、２つのビード間に位置する中央のパネルとを有する。各ビードは支持すべき物体に接触する頂部の荷重支持パネルと、２つの下方に延びる側パネルとを有する。折り畳んだＭ字状の部材は、２つの部片がその間に一対の長手方向の空洞を画定するように、縁パネルに沿って矩形のベースシートに接着される。中央のパネルはベースシートに取り付けることができるが、これは必須ではない。
【０００７】
少なくとも１つの第１の弾性フォーム部材はビード間に介挿され、３つの側部で、中央のパネル及び２つの対向する下方に延びる側パネルにより捕縛される。少なくとも一対の第２の弾性フォーム部材は少なくとも１つの第１の弾性フォーム部材に隣接して長手方向の空洞内で捕縛される。フォーム部材は、大型の物体からの荷重に対して最小の変形で耐えることができるように、ベースレールを強化する。
【０００８】
好ましい実施の形態においては、第１の弾性フォーム部材はビード間でベースレールのいずれかの端部に位置し、一対の第２の弾性フォーム部材は第１の弾性フォーム部材に隣接して長手方向の空洞内でベースレールのいずれかの端部に位置する。２つのベースレールは冷蔵庫又は他の物体に対して支持及びクッションを与えるように平行に使用することができる。代わりに、Ｕ字状のベースを形成するように２つの平行なベースレールを接続するために、（山形板紙で作った又は他の適当な形状を有する）クロス部材を使用することができる。別の変形例においては、正方形又は矩形のベースを形成するように２つの平行なベースレールを接続するために、一対のクロス部材を使用することができる。
【発明を実施するための最良の形態】
【０００９】
図面に戻ると、図１には、本発明の１つの実施の形態である、大型家庭用電気器具のような物体を支持するためのベースレール１０を示す。ベースレール１０は板紙シート及び弾性フォームブロックから作られた複合レールである。弾性フォームブロックは大型物体のためのクッションを与える強靭なプラットフォームを提供するように板紙シートによりその中で捕縛される。
【００１０】
ベースレール１０は板紙素子と、多数の弾性フォームブロックとを有する。図２は板紙素子１２の斜視図である。この板紙素子は矩形で実質上平坦なベースシート１４及び折り畳んだ部材１６から作られる。折り畳んだ部材１６は実質上Ｍ字状の横断面を有する。
【００１１】
更に図２を参照すると、折り畳んだ部材１６はベースシート１４に取り付けられた縁パネル１８と、縁パネル１８間で折り畳んだ部材の長さに沿って長手方向で位置する少なくとも２つのクラウン即ちビード２０と、２つのビード２０間に位置する中央のパネル２２とを有する。各ビードは頂部の荷重支持パネル２４と、２つの下方に延びる側パネル２６とを有する。
【００１２】
図３は折り畳んだ部材１６を作るために使用される素材３０の斜視図である。素材３０はほぼ矩形の形状であり、縁パネル１８、中央のパネル２２、頂部のパネル２４及び側パネル２６を画定する補助を行う、長手方向に延びる折り畳みラインを有する。
【００１３】
図２の組立てられた板紙素子１２においては、折り畳んだ板紙部材１６の縁パネル１８はベースシート１４に対して接着されるか又は他の方法で取り付けられる。好ましくは、ベースシート１４及び折り畳んだ部材１６は同じ水平方向の寸法を有し（すなわち、それらの周辺部即ち縁部は同一の広がりを持ち）、中央のパネル２２はベースシート１６に隣接する。中央のパネル２２はベースシート１４に取り付けることができるが、これは必須ではない。ベースシート１４及び折り畳んだ部材１６はその間に一対の長手方向のチャンネル即ち空洞３２を画定する。
【００１４】
図４に示すように、弾性フォーム部材は第１の弾性フォーム部材３６と２つの第２の弾性フォーム部材３８とに切断又は分割される（海綿状ポリスチレンフォームのような）弾性フォーム材料の単一のブロックから作ることができる。第２のフォーム部材３８は、後に更に説明するように、板紙素子１２内の長手方向の空洞３２内に嵌合するように形状づけられる。
【００１５】
図１に示す組立てたベースレール１０においては、第１の弾性フォーム部材３６は、これらの部材が中央のパネル２２及び折り畳んだ部材１６の２つの対向する下方に延びる側パネル２６により３つの側部で捕縛されるように、ビード２０間でベースレール１０のいずれかの端部に位置する。２つの第２の弾性フォーム部材３８は板紙素子１２のいずれかの端部において長手方向の空洞３２内に捕縛される。各対の第２の弾性フォーム部材３８は第１の弾性フォーム部材３６に隣接すべきである。換言すれば、各対の第２の弾性フォーム部材３８は横断（横）方向において第１のフォーム部材３６と整合すべきである。合計で、６つの弾性フォーム部材が各ベースレール１０において使用される。
【００１６】
ビード２０間に第１の弾性部材３６を楔着させ、第２の弾性部材３８を第１の弾性フォーム部材３６に隣接して空洞３２内に捕縛させると、折り畳んだ板紙部材１６の極めて僅かな変形を伴うだけで、大型の物体の荷重に耐えることのできる構造体が得られる。ベースレール１０はこれに装着した物体に対して保護及びクッションの双方を提供し、一層高価なベースに取って代わる。ベースレール１０はフォークリフトトラック又は他の持ち上げ機械と一緒に使用することができる。
【００１７】
図５は、物体である、互いに平行に離間した一対のベースレール１０に装着された冷蔵庫４０を示す。冷蔵庫の脚部は各レール１０のビード２０間で下方に延び、第１の弾性フォーム部材３６の内壁に対して楔着することができる。
【００１８】
代わりに、Ｕ字状の器具用ベースを形成するために、一対のベースレール１０は山形板紙のようなクロス部材（図示せず）と一緒に結合することができる。別の変形例においては、正方形の器具用ベースを形成するために、一対のベースレール１０はその端部で２つのクロス部材と一緒に結合することができる。
【００１９】
本発明のベースレール１０は開いた側部を持つ器具パッケージを提供するように他の梱包素子と関連して使用することができる。例えば、短い直立の側部を備えた底部トレイを一対のベースレール１０に装着した器具の下に配置することができ、頂部キャップを頂部上に配置することができる。コーナーポストは器具とトレイの側壁との間で底部トレイ内に配置することができ、器具の縁部を保護するように底部トレイから頂部キャップへ延びる。最後に、透明なプラスチック包装紙を組立体のまわりに配置して、ごみやほこりから器具を保護することができる。
【００２０】
上述の教示及び特許請求の範囲により規定されたような本発明の要旨から逸脱しない本発明の他の修正及び代わりの実施の形態が考えられる。特許請求の範囲はその要旨内に入るすべてのこのような修正をカバーすることを意図するものである。
【図面の簡単な説明】
【００２１】
【図１】本発明に係る器具用ベースレールの斜視図である。
【図２】図１の器具用ベースレールの板紙素子の斜視図である。
【図３】図2の板紙素子のＭ字状部分を作るために使用される素材を示す図である。
【図４】図１の器具用ベースレールの弾性フォーム素子の斜視図である。
【図５】図１に係る一対の器具用ベースレールに装着された冷蔵庫の斜視図である。
【図１】
2008536763.tif 000003
【図２】
2008536763.tif 000004
【図３】
2008536763.tif 000005
【図４】
2008536763.tif 000006
【図５】
2008536763.tif 000007
【国際調査報告】
2008536763.tif 000008